(57)【要約】      （修正有）【課題】径の異なる二種類のディスク状記録媒体を用いることができ、かつ携帯に適したディスク装置を提供する。【解決手段】デジタルカメラ１は、小径の光ディスク及びこの光ディスクよりも大径の光ディスクをカートリッジケース内に回転自在に収納したディスクカートリッジを選択的に装着可能な装着部５、１０〜２２と、装着部５、１０〜２２に装着された小径の光ディスク及びディスクカートリッジに収納された大径の光ディスクに対して情報の記録と再生又はいずれか一方を行う情報処理部９と、を有する。【選択図】図１
2007141398.tif 000002
【特許請求の範囲】
【請求項１】
第１のディスク状記録媒体及びカートリッジケース内に前記第１のディスク状記録媒体よりも大径の第２のディスク状記録媒体を回転自在に収納したディスクカートリッジを選択的に装着可能な装着部と、この装着部に装着された第１のディスク状記録媒体及びディスクカートリッジに対して情報の記録又は再生を行う情報処理部と、を有することを特徴とするディスク装置。
【発明の詳細な説明】
【技術分野】
【０００１】
本発明は、ＤＶＤ等のディスク状記録媒体に対して情報の記録又は再生を行うディスク装置に関し、より詳しくは、径の異なる二種類のディスク状記録媒体を用いることができるディスク装置に関する。
【背景技術】
【０００２】
最近、例えば直径が８ｃｍのＤＶＤ−ＲやＤＶＤ−ＲＷ等の小径のディスク状記録媒体が用いられるようになってきている。この種のディスク状記録媒体は、一般に使用される直径が１２ｃｍのディスク状記録媒体と比べて記録容量が１／３程度であるが、携帯に便利な小型のデジタルカメラ等を提供するのに用いられている。
【０００３】
例えば光ディスクであれば、レーザ光によって情報の記録や再生を行うため、外部の光が入らず、防塵された状況下で使用される必要があり、ディスク状記録媒体は筐体内に収容され、密閉された状態で使用される。
【０００４】
そのため、従来、小径のディスク状記録媒体を用いた携帯型のディスク装置では、広く普及している直径が１２ｃｍのディスク状記録媒体に対しても情報を記録再生可能な情報処理部を有しているにもかかわらず、１２ｃｍのディスク状記録媒体も使用できるようにすると、装置が大きくなって携帯性が損なわれるため、記録容量が小さな小径のディスク状記録媒体のみしか使用できないようになっていた。
【０００５】
この問題点を解決するものとして、特許文献１に開示されたディスク装置が提案されている。
【０００６】
このディスク装置では、装置本体のカバーが開いた状態で別体の付加装置と合体させ、大きな径のディスク状記録媒体を装着した後に付加装置のカバーを閉めることで、大きな径のディスク状記録媒体も装着可能としている。
【特許文献１】特開２００３−２４９０６３号公報
【発明の開示】
【発明が解決しようとする課題】
【０００７】
しかしながら、特許文献１のディスク装置では、径が小さなディスク状記録媒体を使用する場合には携帯性が良好であるものの、径が大きなディスク状記録媒体を使用する場合には、これを密閉する大きな付加装置が必要となるため、携帯性が損なわれるという問題点がある。
【０００８】
本発明は上記事情に鑑みて創案されたものであり、その目的は、径の異なる二種類のディスク状記録媒体を用いることができ、かつ携帯に適したディスク装置を提供することにある。
【課題を解決するための手段】
【０００９】
上記目的を達成するために、本発明のディスク装置は、第１のディスク状記録媒体及びカートリッジケース内に前記第１のディスク状記録媒体よりも大径の第２のディスク状記録媒体を回転自在に収納したディスクカートリッジを選択的に装着可能な装着部と、この装着部に装着された第１のディスク状記録媒体及びディスクカートリッジに対して情報の記録又は再生を行う情報処理部と、を有することを特徴としている。
【発明の効果】
【００１０】
本発明のディスク装置は、径の異なる二種類のディスク状記録媒体を用いることができると共に、別体の付加装置を必要としないため、小型にすることができる。したがって、携帯に適している。
【発明を実施するための最良の形態】
【００１１】
以下、本発明の一実施形態を図面に基づいて説明する。図１は本発明の第１の実施形態であるデジタルカメラのカバーを開いた状態の斜視図、図２は図１のデジタルカメラに光ディスクを装着した状態を示す斜視図、図３は図１のデジタルカメラのカバーを閉じた状態の斜視図、図４は図１のデジタルカメラにディスクカートリッジを装着した状態を示す斜視図である。
【００１２】
このデジタルカメラ１は、静止画と動画の記録と再生が可能であり、静止画や動画の記録と再生を行う場合には図２に示すＤＶＤ等の裸の光ディスク１０１や図示しない固体メモリーを使用し、カートリッジ式のＤＶＤを使用する場合には図４に示すディスクカートリッジ２０１が装着される。
【００１３】
例えば、第１のディスク状記録媒体の例としての光ディスク１０１は直径が８ｃｍで、その中心部にはセンターホール１０２を有している。
【００１４】
第２のディスク状記録媒体の例としてのディスクカートリッジ２０１は、合成樹脂製のカートリッジケース２０２内に直径が１２ｃｍの光ディスク２０３を回転自在かつ出し入れ自在に収納したものである。光ディスク２０３は中心部にセンターホール２０４を有している。
【００１５】
カートリッジケース２０２の両面には、デジタルカメラ１の光ピックアップ（図示せず）から射出されるレーザ光を受け入れるためのアクセス窓２０５が設けられている。
【００１６】
このアクセス窓２０５は、カートリッジケース２０２の一側縁に矢印Ａ方向に往復動自在に取り付けられたシャッター２０６によって開閉されるようになっている。このシャッター２０６は、図示しないバネによって閉方向に付勢されている。
【００１７】
カートリッジケース２０２におけるシャッター２０６が取り付けられた側縁と対向する側縁の近傍には、一対の位置決め用穴２０７、２０８がシャッター２０６の開閉方向に間隔をおいて設けられている。
【００１８】
図１に示すように、デジタルカメラ１は、略直方体状のカメラ本体２と、その左側面（図の奥側の面）の一側縁にヒンジ部（図示せず）を介して回動自在に取り付けられた液晶モニター３と、カメラ本体２の右側面（図の手前側の面）の一側縁にヒンジ部４を介して回動自在に取り付けられた蓋５とを備えている。
【００１９】
カメラ本体２は、上部の前面側に設けられたレンズ６と、他方の側に設けられたファインダー７とを有し、ファインダー７の下方には、バッテリー８が着脱自在に取り付けられている。
【００２０】
カメラ本体２の右側面側には、光ピックアップ（図示せず）を介して光ディスクに対して情報の記録と再生を行う情報処理部９と、光ディスクを回転させるスピンドル１０とが設けられている。
【００２１】
情報処理部９は、ＤＶＤ−Ｒ、ＤＶＤ−ＲＷ、ＤＶＤ＋Ｒ、ＤＶＤ＋ＲＷ、ＤＶＤ−ＲＡＭ、Ｂｌｕｅ−ｒａｙ、ＨＤＤＶＤ等に対して情報の記録と再生が可能となっており、再生専用の各光ディスクの情報も再生可能となっている。
【００２２】
また、カメラ本体２の右側面の上下には帯板状のカバー１１、１２が前後方向に延びるように取り付けられている。上側のカバー１１は下縁を中心として回動自在となっており、図１に示すように垂直に起立した状態と、図２に示すように右側に向けて水平に突出した状態とを選択的に取ることができる。このカバー１１の一端には、ディスクカートリッジ２０１の位置決め用穴２０７と係合するピン１３が設けられている。
【００２３】
下側のカバー１２は上縁を中心として回動自在となっており、図１に示すように垂直に起立した状態と、図２に示すように右側方に向けて水平に突出した状態とを選択的に取ることができる。このカバー１２の一端には、ディスクカートリッジ２０１の位置決め用穴２０８と係合するピン１４が設けられている。
【００２４】
また、カメラ本体２の右側面におけるヒンジ部４と隣接する側縁には、右側に突出した側壁２１が設けられ、その上部は切り欠かれており、ディスクカートリッジ２０１のシャッター２０６を開状態で保持するシャッター保持部１５を形成している。また、カメラ本体２の右側面におけるヒンジ部４と反対側の側縁には、右側方に突出した側壁２２が設けられている。
【００２５】
蓋５の内面には、スピンドル１０と対向するようにクランプ１６が設けられている。このクランプ１６は、蓋５が閉じた状態（図３の状態）で、スピンドル１０に係合した光ディスクをスピンドル１０から離脱しないようにクランプする。
【００２６】
蓋５の内面の自由端側には、上下に延びる固定部１７が設けられている。この固定部１７は、カメラ本体２の側壁２２の先端面に設けられた固定部１８と協働して蓋５を閉じた状態で保持する。このような固定部１７、１８としては、例えば磁気的や機械的に保持するものを用いることができる。
【００２７】
また、蓋５の上端縁と下端縁には、水平にされたカバー１１、１２を受け入れる溝１９、２０が設けられている。
【００２８】
次に、第１の実施形態の使用方法を説明する。
【００２９】
直径が８ｃｍの光ディスク１０１を装着する場合には、モニター３の側が下となるようにデジタルカメラ１を略水平にして蓋５を開く。そして、カバー１１、１２が上方に突出した状態で光ディスク１０１のセンターホール１０２をスピンドル１０に係合させる。
【００３０】
次いで、蓋５を閉方向に回動させ、固定部１７、１８を係合させて蓋５を閉状態で保持する。ヒンジ部４、カバー１１、１２、側壁２１、２２によって蓋５の四辺が密閉された状態になるため、外部の光や塵埃が光ディスク１０１に届くことはない。
【００３１】
一方、ディスクカートリッジ２０１を装着する場合には、モニター３の側が下となるようにデジタルカメラ１を略水平にして蓋５を開く。そして、カバー１１、１２を水平位置に回動し、ディスクカートリッジ２０１のシャッター２０６を開いた状態にしてシャッター保持部１５に係合させ、位置決め用穴２０７をカバー１１のピン１３に係合させると共に位置決め用穴２０８をカバー１２のピン１４に係合させてディスクカートリッジ２０１をカメラ本体２に装着する。
【００３２】
次いで、蓋５を閉方向に回動させ、固定部１７、１８を係合させて蓋５を閉状態で保持する。光ディスク２０３は、カートリッジケース２０２内に収納されていると共に、開いたアクセス窓２０３が蓋２５によって覆われるため、外部の光や塵埃が光ディスク２０３に届くことはない。
【００３３】
このように、本実施形態のデジタルカメラ１は、直径が８ｃｍのものに加えて１２ｃｍの光ディスク２０３を使用可能としたことで、一般に普及している膨大な量のＤＶＤ等の光ディスクソフトの再生も可能である。さらに、この光ディスク２０３は、カートリッジケース２０２に収納されており、特許文献１のように、別体の大きな付加装置で覆う必要が無いため、装置を小型にすることができる。したがって、場所を選ばずに光ディスクのソフトの再生が可能である。
【００３４】
本実施形態のデジタルカメラ１は、光ディスク２０３の径方向と平行な一方向（図４の矢印Ａ方向）の大きさが光ディスク２０３の径よりも小さくなっており、コンパクトで携帯性に優れている。
【００３５】
次に、本発明の第２の実施形態を説明する。図５は本発明の第２の実施形態である光ディスクプレーヤのカバーを開いた状態の斜視図である。なお、第１の実施形態と同一又は類似の部分には同一の符号を用いてあり、重複する説明は省略してある。
【００３６】
本実施形態の光ディスクプレーヤ２３は、携帯可能な再生専用のもので、カメラを有していない。第１の実施形態と同様に、直径が８ｃｍの裸の光ディスク１０１と、直径が１２ｃｍの光ディスク２０３をカートリッジケース２０２内に収納したディスクカートリッジ２０１とを選択的に装着可能となっているが、情報処理部９は、光ディスクに記録された情報の再生のみを行う。
【００３７】
例えば映像が記録された光ディスク２０３をカートリッジケース２０１に入れてこの光ディスクプレーヤ２３に装着すると、光ディスク２０３に記録された映像をモニター３で観ることができる。直径が１２ｃｍの光ディスク２０３を装着可能であるため、一般に普及している膨大な量のソフトを再生することができる。
【００３８】
また、別体の付加装置を必要としないため、装置を小型にすることができ、携帯性も優れている。したがって、場所を選ばずに光ディスクを再生することができる。
【００３９】
以上、具体例を挙げて本発明の一実施形態について説明したが、本発明は上記の各実施形態に限定されるものではない。
【００４０】
例えば、本発明のディスク装置に用いることができるディスク状記録媒体は、直径が８ｃｍと１２ｃｍに限定されるものではない。
【００４１】
また、ディスク状記録媒体の種類としては、例えば、ＤＶＤ、ＣＤ−Ｒ、ＣＤ−ＲＷ、ＤＶＤ−Ｒ、ＤＶＤ−ＲＷ、ＤＶＤ＋Ｒ、ＤＶＤ＋ＲＷ、ＤＶＤ−ＲＡＭ、Ｂｌｕｅ−ｒａｙ、ＨＤＤＶＤ等を挙げることができるが、これらに限定されるものではない。また、光ディスクに限定されるものではなく、ディスク状記録媒体であればよい。
【００４２】
その他にも、本発明の要旨を逸脱しない範囲で上記実施形態に種々の改変を施すことができる。
【図面の簡単な説明】
【００４３】
【図１】本発明の第１の実施形態であるデジタルカメラのカバーを開いた状態の斜視図である。
【図２】図１のデジタルカメラに光ディスクを装着した状態を示す斜視図である。
【図３】図１のデジタルカメラのカバーを閉じた状態の斜視図である。
【図４】図１のデジタルカメラにディスクカートリッジを装着した状態を示す斜視図である。
【図５】本発明の第２の実施形態であるデジタルカメラのカバーを開いた状態の斜視図である。
【符号の説明】
【００４４】
１  デジタルカメラ
５  蓋（装着部）
９  情報処理部
１０  スピンドル（装着部）
１１  カバー（装着部）
１２  カバー（装着部）
１３  ピン（装着部）
１４  ピン（装着部）
１５  シャッター保持部（装着部）
１６  クランプ（装着部）
１７  固定部（装着部）
１８  固定部（装着部）
１９  溝（装着部）
２０  溝（装着部）
２１  側壁（装着部）
２２  側壁（装着部）
１０１  光ディスク（第１のディスク状記録媒体）
２０１  ディスクカートリッジ
２０２  カートリッジケース
２０３  光ディスク（第２のディスク状記録媒体）
【図１】
2007141398.tif 000003
【図２】
2007141398.tif 000004
【図３】
2007141398.tif 000005
【図４】
2007141398.tif 000006
【図５】
2007141398.tif 000007